(57)【要約】【課題】所定意匠外周のギザギザ感をなくして、安価に視認性、意匠性の向上を図ることができる表示装置を提供する。【解決手段】自発光ドットデバイスＤがマトリクス状に並べられている。所定意匠発光手段が、所定意匠領域Ａ２１に配置された自発光ドットデバイスＤを発光させて所定意匠を表示させる。外周発光手段が、非発光領域Ａ３を挟んだ状態で所定意匠領域Ａ２１の外周に沿って設けられた外周領域Ａ２２に配置された自発光ドットデバイスＤを発光させる。【選択図】図３
2008176124.tif 000002
【特許請求の範囲】
【請求項１】
マトリクス状に並べられた複数の画素と、所定意匠領域に配置された前記画素を発光させて前記所定意匠を表示させる所定意匠発光手段とを有する表示装置において、
前記所定意匠発光手段が、前記画素を消灯させる非発光領域を挟んだ状態で前記所定意匠領域の外周に沿って設けられた外周領域に配置された前記画素を発光させる外周発光手段を有することを特徴とする表示装置。
【請求項２】
前記外周発光手段が、前記所定意匠領域の周縁のうち前記所定意匠の影に相当する部分のみに前記外周領域を設けるものであることを特徴とする請求項１に記載の表示装置。
【発明の詳細な説明】
【技術分野】
【０００１】
本発明は、表示装置に係り、特に、マトリクス状に並べられた複数の画素と、所定意匠領域に配置された前記画素を発光させて前記所定意匠を表示させる所定意匠発光手段とを有する表示装置に関するものである。
【背景技術】
【０００２】
上述した従来の表示装置として例えば図７に示すものが提案されている。同図に示すように、表示装置は、マトリクス状に並べられた複数の自発光ドットデバイスＤ（画素）と、図示しないドライバとを備えている。自発光ドットデバイスＤは、例えば発光ダイオードなど電力が供給されると自発光する素子から構成される。ドライバは、図中黒塗りで示す所定意匠領域Ａ１に配置された自発光ドットデバイスＤを発光し、所定意匠領域Ａ１以外に配置された自発光ドットデバイスＤを消灯することにより所定意匠（図７に示す例では数字の「２」）を表示させる。
【特許文献１】実開昭５１−１５８７７号公報
【発明の開示】
【発明が解決しようとする課題】
【０００３】
上述した従来の表示装置では、マトリクス状に自発光ドットデバイスＤを並べることによりさまざまな意匠の表示を行うことができる。しかしながら、図７に示すように画素数が少ないと所定意匠外周のカーブ部分や、斜線部分にギザギザ感が生じ、視認性、意匠性ともに問題があった。
【０００４】
そこで、例えば、所定意匠領域Ａ１の外周縁に近い自発光ドットデバイスＤほど発光輝度を小さくするアンチエリアスを施してギザギザ感を緩和させるものが提案されている。しかしながら、この場合、自発光ドットデバイスＤとしては、複数段階に輝度が調整できるものを用いる必要があり、コスト的に問題がある。
【０００５】
そこで、本発明は、上記のような問題点に着目し、所定意匠外周のギザギザ感をなくして、安価に視認性、意匠性の向上を図ることができる表示装置を提供することを課題とする。
【課題を解決するための手段】
【０００６】
上記課題を解決するためになされた請求項１記載の発明は、マトリクス状に並べられた複数の画素と、所定意匠領域に配置された前記画素を発光させて前記所定意匠を表示させる所定意匠発光手段とを有する表示装置において、前記所定意匠発光手段が、前記画素を消灯させる非発光領域を挟んだ状態で前記所定意匠領域の外周に沿って設けられた外周領域に配置された前記画素を発光させる外周発光手段を有することを特徴とする表示装置に存する。
【０００７】
請求項１記載の発明によれば、外周発光手段が、非発光領域を挟んだ状態で所定意匠領域の外周に沿って設けられた外周領域に配置された画素を発光させる。従って、所定意匠領域と外周領域との間に非発光領域が挟まれているため、非発光領域が所定領域及び外周領域からの光の影響を受け、薄く発光しているように視認される。このため、擬似的に階調が増えてアンチエリアス的な効果が生まれ、画素の粗さが目立たなくなり、所定意匠外周のギザギザ感をなくすことができる。
【０００８】
請求項２記載の発明は、前記外周発光手段が、前記所定意匠領域の周縁のうち前記所定意匠の影に相当する部分のみに前記外周領域を設けるものであることを特徴とする請求項１に記載の表示装置に存する。
【０００９】
請求項２記載の発明によれば、外周発光手段が、非発光領域の周縁のうち所定意匠の影に相当する部分のみに外周領域を設けるものであるので、所定意匠が立体的に視認される。
【発明の効果】
【００１０】
以上説明したように請求項１記載の発明によれば、所定意匠領域と外周領域との間に非発光領域が挟まれているため、非発光領域が所定領域及び外周領域からの光の影響を受け、薄く発光しているように視認される。このため、擬似的に階調が増えてアンチエリアス的な効果が生まれ、画素の粗さが目立たなくなり、所定意匠外周のギザギザ感をなくすことができるので、安価に視認性、意匠性の向上を図ることができる。
【００１１】
請求項２記載の発明によれば、所定意匠が立体的に視認されるので、より一層視認性、意匠性の向上を図ることができる。
【発明を実施するための最良の形態】
【００１２】
以下、本発明の一実施の形態を図面に基づいて説明する。図１は、本発明の表示装置を組み込んだ虚像表示装置の一実施の形態を示す構成図である。図２は、図１に示す表示装置のブロック図である。図３は、図１に示す表示器に表示される画像の一例を示す図である。同図に示すように、虚像表示装置は、ダッシュボード１内に収容されている。
【００１３】
虚像表示装置は、表示装置２とこの表示装置２からの光を反射してウインドウＷに導くミラー３、４とを備えている。表示装置２は、配線板５上に搭載され、その背面には放熱板６が取り付けられている。また、自動車用計器は、上記表示装置２、ミラー３、４、配線板５及び放熱板６を収容するケース７を備えている。ケース７の下方に設けられた開口には、裏カバー８が取り付けられる。また、ケース７の上方に設けられた開口には、投射窓９が取り付けられる。
【００１４】
上述した虚像表示装置によれば、表示装置２から出射された光は、ミラー３、４で反射した後、投射窓９を透過してウインドウＷに導かれる。ウインドウＷに導かれた光は、ウインドウＷで反射して運転者視界ｅｙｅに到達する。これにより、運転者は、ウインドウＷに映った虚像を視認する。
【００１５】
上記表示装置２は、図２に示すように、表示器１０と、Ｙドライバ２１と、Ｘドライバ２２と、中央演算処理装置（ＣＰＵ）２３とを有している。表示器１０は、マトリクス状に並べられたＹ行Ｘ列の自発光ドットデバイスＤ（＝画素）を有している。自発光ドットデバイスＤは、例えば発光ダイオードなど電圧が供給されると自発光する素子から構成される。この表示器１０は、例えば車両のコントロールパネルに配置される。表示器１０には、図３及び図４に示すように、数字など所定意匠が表示される。
【００１６】
Ｙドライバ２１は、各行の自発光ドットデバイスＤの一端に設けられたＹ行電極ＥＹに接続されている。Ｘドライバ２２は、各列の自発光ドットデバイスＤの他端に設けられたＸ列電極ＥＸに接続されている。即ち、各自発光ドットデバイスＤは、Ｙ行電極ＥＹとＸ列電極ＥＸとの間に挟まれている。上記Ｘドライバ２２及びＹドライバ２１は、ＣＰＵ２３によって制御されている。上記ＣＰＵ２３は、ＥＥＰＲＯＭ２４が接続されている。ＥＥＰＲＯＭ２４には、例えば、図４に示すような画像データが記憶されている。
【００１７】
図４に示す画像データの詳細を図３に基づいて説明する。図３に示すように、画像データは、黒塗りで表される発光領域Ａ２と、白塗り又は網掛けで表される非発光領域Ａ３とから構成されている。発光領域Ａ２は、所定意匠に相当する所定意匠領域Ａ２１と、非発光領域Ａ３を挟んだ状態で所定意匠領域Ａ２１の外周に沿って設けられた外周領域Ａ２２とから構成されている。外周領域Ａ２２は、所定意匠の外周のうち影に相当する部分のみに設けられている。
【００１８】
次に、上述した構成の表示装置の表示動作について以下説明する。ＣＰＵ２３は、ＥＥＰＲＯＭ２４から画像データを読み取る。そして、ＣＰＵ２３は、読み取った画像データに応じてＹドライバ２１、Ｘドライバ２２を駆動する。具体的には、ＣＰＵ２３は、垂直走査信号をＹドライバ２１に出力する。Ｙドライバ２１は、垂直走査信号に同期してＹ行電極ＥＹの一つを順次選択して、選択されたＹ行電極ＥＹに接続された自発光ドットデバイスＤに対する電圧の印加が可能な状態にしておく。
【００１９】
ＣＰＵ２３は、水平同期信号をＸドライバ２２に出力すると共に水平同期信号に同期して画像データをＸドライバ２２に出力する。Ｘドライバ２２は、水平同期信号に同期してＸ行電極ＥＸの一つを順次選択して、選択されたＸ行電極ＥＸに接続された自発光ドットデバイスＤが発光領域Ａ２に配置されているものあればその自発光ドットデバイスＤに電圧を印加する。即ち、Ｙドライバ２１により選択された行とＸドライバ２２により選択された列との交点に配置された自発光ドットデバイスＤが発光する。そして、Ｙドライバ２１、Ｘドライバ２２によってＸ行Ｙ列の自発光ドットデバイスＤに対して順次電圧を印加することにより、画像データに対応する画像が表示器１０に表示される。
【００２０】
以上の動作により、図３に示すように、黒塗りで示す発光領域Ａ２に配置された自発光ドットデバイスＤが発光して所定意匠（この場合数字の「２」）が表示される。以上のことから明らかなように、画像データを格納するＥＥＰＲＯＭ２４及びＥＥＰＲＯＭ２４に格納された画像データを表示させるＣＰＵ２３が、請求項中の所定意匠発光手段、外周発光手段に相当する。
【００２１】
上述した表示装置によれば、ＣＰＵ２３が、非発光領域Ａ３を挟んだ状態で所定意匠領域Ａ２１の外周に沿って設けられた外周領域Ａ２２に配置された自発光ドットデバイスＤを発光させる。従って、所定意匠領域Ａ２１と外周領域Ａ２２との間に挟まれた図中網掛けで示す非発光領域Ａ３が所定領域Ａ２１及び外周領域Ａ２２からの光の影響を受け、薄く発光しているように視認される。このため、複数段階に輝度が調整できる自発光ドットデバイスＤを用いなくても、擬似的に階調が増えてアンチエリアス的な効果が生まれ、ドット（画素）の粗さが目立たなくなり、所定意匠外周のギザギザ感をなくすことができ、安価に視認性、意匠性の向上を図ることができる。
【００２２】
また、従来の図６（Ａ）に示すように、単に所定意匠領域Ａ２１を発光させるだけでは所定意匠が平坦に視認され意匠性に欠ける。しかしながら、上述した表示装置によれば、図６（Ｂ）に示すように、ＣＰＵ２３が、所定意匠領域Ａ２１の周縁のうち所定意匠の影に相当する部分のみに外周領域Ａ２２を設けているため、所定意匠が立体的に視認され、より一層視認性、意匠性の向上を図ることができる。
【００２３】
また、上述した実施形態によれば、図３に示すように、外周領域Ａ２２を所定意匠領域Ａ２１に対して図中右方向及び下方向の両方向に対して移動させていたが、本発明はこれに限ったものではない。外周領域Ａ２２は、非発光領域Ａ３を挟んだ状態で所定意匠領域Ａ２１の外周に沿って設けていればよく、例えば図５に示すように、図７で示した表示基本図形を図中右方向及び下方向に移動させてもよい。但し、図３に示す方が、所定意匠領域Ａ２１と外周領域Ａ２２との間に挟まれる非発光領域Ａ３の面積を大きくすることが出来るため、よりアンチエリアス的な効果をもたらすことができる。
【００２４】
また、上述した実施形態によれば、画素として自発光ドットデバイスＤを用いていたが、本発明はこれに限ったものではない。画素としては、マトリクス状に並べられて発光を制御できるものであればよく、例えばマトリクス状に並べられた液晶素子を用いても良い。
【００２５】
また、上述した実施形態によれば、外周領域Ａ２２が、所定意匠領域Ａ２１の周縁のうち所定意匠の影に相当する部分のみに設けられていたが、本発明はこれに限ったものではない。外周領域Ａ２２は、非発光領域Ａ３を挟んだ状態で所定意匠領域Ａ２１の外周に沿って設ければ良く、例えば所定意匠領域Ａ２１の全周に沿って設けてもよい。
【００２６】
また、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００２７】
【図１】本発明の表示装置を組み込んだ自動車用計器の一実施の形態を示す構成図である。
【図２】図１に示す表示装置のブロック図である。
【図３】図１に示す表示器に表示される画像の一例を示す図である。
【図４】図１に示す表示器に表示される画像の一例を示す図である。
【図５】図１に示す表示器に表示される画像の他の一例を示す図である。
【図６】（Ａ）は従来の表示器に表示される画像の一例を示す図であり、（Ｂ）は図１に示す表示器に表示される画像の一例を示す図である。
【図７】従来の表示例を示す図である。
【符号の説明】
【００２８】
Ｄ    自発光ドットデバイス（画素）
２３  ＣＰＵ（所定意匠発光手段、外周発光手段）
【図１】
2008176124.tif 000003
【図２】
2008176124.tif 000004
【図３】
2008176124.tif 000005
【図４】
2008176124.tif 000006
【図５】
2008176124.tif 000007
【図６】
2008176124.tif 000008
【図７】
2008176124.tif 000009